(57)【要約】【課題】加熱定着により生じる画像形成開始位置又は画像サイズのずれを適切、かつ、簡易に調整し得る画像形成装置、画像形成調整方法を提供する。【解決手段】用紙の一方の面に第１の画像を形成し、かつ、他方の面に第２の画像を形成する画像形成処理部２１と、用紙に形成された第１の画像及び第２の画像を加熱定着する加熱定着部２２と、を備えた画像形成装置１００において、用紙の何れか一方の面にのみ、第１の画像及び第２の画像を画像形成処理部２１に形成させ、当該形成させた第１の画像及び第２の画像を加熱定着部２２に加熱定着させる制御を行い、当該加熱定着させた第１の画像と第２の画像との間の用紙上における画像形成開始位置又は画像サイズのずれ量に基づいて、画像形成開始位置又は画像サイズのずれを画像形成処理部２１に調整させる制御部６ａを備えた画像形成装置１００とする。【選択図】図１
2009222785.tif 000002
【特許請求の範囲】
【請求項１】
用紙の両面に画像を形成可能な画像形成装置において、
用紙上に画像を形成する画像形成部と、
前記画像形成部にて用紙上に形成された画像を加熱定着する加熱定着部と、
前記用紙の一方の面に前記画像形成部により第１の画像を形成して前記加熱定着部にて加熱定着を行い、その後前記用紙の同一面に前記画像形成部により第２の画像を形成して前記加熱定着部にて加熱定着を行う動作を実行し、前記用紙の同一面上に形成された前記第１の画像及び前記第２の画像に応じて、用紙の表裏に形成される画像の画像形成開始位置及び画像サイズのうち少なくとも一つについて、ずれの表裏調整を行う制御部と、
を備える画像形成装置。
【請求項２】
前記用紙の同一面上に形成された前記第１の画像及び前記第２の画像を読み取る読取部を備え、
前記制御部は、前記読取部で読み取ったデータから前記第１の画像及び前記第２の画像の位置を検出し、検出した前記第１の画像及び前記第２の画像の位置に基づいて、前記表裏調整における表裏調整値を算出する請求項１に記載の画像形成装置。
【請求項３】
前記制御部は、前記用紙の一方の面に形成された前記第１の画像と前記用紙の他方の面に形成された前記第２の画像との間の用紙上における画像形成開始位置のずれ量と、前記用紙の一方の面にのみ、形成されて加熱定着された前記第１の画像及び前記第２の画像との間の用紙上における画像形成開始位置又は画像サイズのずれ量とに基づいて、前記画像形成開始位置又は前記画像サイズのずれを前記画像形成部に調整させる請求項１又は２に記載の画像形成装置。
【請求項４】
前記読取部は、前記用紙の一方の面に形成された前記第１の画像及び前記他方の面に形成された前記第２の画像を読み取り、
前記制御部は、読み取られた前記第１の画像及び前記第２の画像をそれぞれ検出し、当該検出した前記第１の画像と前記第２の画像との間の用紙上における前記画像形成開始位置のずれ量を算出し、当該算出したずれ量と、前記用紙の一方の面にのみ、形成されて加熱定着された前記第１の画像及び前記第２の画像との間の用紙上における前記画像形成開始位置又は前記画像サイズのずれ量とに基づいて、前記画像形成開始位置又は前記画像サイズのずれを前記画像形成部に調整させる請求項２又は３に記載の画像形成装置。
【請求項５】
前記画像形成開始位置又は前記画像サイズのずれ量を入力するための入力部を備え、
前記制御部は、入力された前記ずれ量、又は前記読取手段により読み取られた前記第１の画像及び前記第２の画像をそれぞれ検出して算出した前記ずれ量のうち、何れかのずれ量に基づいて、前記画像形成開始位置又は前記画像サイズのずれを前記画像形成部に調整させる請求項２〜４の何れか一項に記載の画像形成装置。
【請求項６】
前記第１の画像及び前記第２の画像は、互いに異なる色のスケール画像である請求項１〜５の何れか一項に記載の画像形成装置。
【請求項７】
用紙の両面に画像を形成可能な画像形成装置による画像形成調整方法であって、
用紙上に画像を形成する工程と、
前記画像形成部にて用紙上に形成された画像を加熱定着する工程と、
前記用紙の一方の面に前記画像形成部により第１の画像を形成して前記加熱定着部にて加熱定着を行い、その後前記用紙の同一面に前記画像形成部により第２の画像を形成して前記加熱定着部にて加熱定着を行う動作を実行し、前記用紙の同一面上に形成された前記第１の画像及び前記第２の画像に応じて、用紙の表裏に形成される画像の画像形成開始位置及び画像サイズのうち少なくとも一つについて、ずれの表裏調整を行う工程と、
を備える画像形成調整方法。
【発明の詳細な説明】
【技術分野】
【０００１】
本発明は、画像形成装置及び画像形成調整方法に関する。
【背景技術】
【０００２】
表用の画像及び裏用の画像とをそれぞれ用紙の表裏面に画像形成して加熱定着させた後、用紙上に形成された表用の画像及び裏用の画像を比較すると位置やサイズが若干異なる場合がある。この主な原因として、以下の２つが考えられる。
【０００３】
１つは、表用の画像と裏用の画像とで、画像形成開始位置が異なることによる。
画像形成開始位置が異なるのは、表用の画像を形成した後、用紙を機械的に反転させた際に誤差が生じ、この状態で裏用の画像を形成するためである。こうした機械的制御動作の誤差によって、表用の画像と裏用の画像とで画像形成開始位置にずれが生じてしまう。
【０００４】
もう１つは、表用のトナー像（画像）を定着装置で定着させた際、定着による熱及び圧力で用紙に含まれる水分が気化し、用紙サイズが縮んでしまうことによる。
一般的な画像形成装置では、まず表用の画像を用紙の表面に形成して加熱定着させる。そして、その後に縮んだ用紙の裏面に裏用の画像を形成して加熱定着させる。このような手順を経ることで、表用の画像と裏用の画像とで画像形成開始位置又は画像サイズにずれが生じる結果となる。
【０００５】
上記２つの原因のうち、用紙を機械的に反転させた際の誤差が原因で生じる画像形成開始位置のずれは、画像形成装置内部に専用のセンサを備えたり、画像形成開始位置を高精度に制御可能な制御部を備えさせたりすることで問題の解決を図ることができる。
また、用紙を機械的に反転させた際の誤差が原因で生じる画像形成開始位置のずれは、一度調整値を設定することでずれを解消でき、解消した状態を長期間維持することができる。
【０００６】
一方、加熱定着により生じる画像形成開始位置又は画像サイズのずれは、用紙の種類や用紙に含まれる水分量、加熱定着の際の温度や湿度等により、ずれ量が異なる。よって、加熱定着により生じる画像形成開始位置又は画像サイズのずれの調整は頻繁に行うことが望ましく、かつ、用紙を機械的に反転させた際の誤差が原因で生じる画像形成開始位置のずれの調整も合わせて行うことが望ましい。
また、加熱定着により生じる画像形成開始位置又は画像サイズのずれの調整を頻繁に行う必要がある場合、調整に際しては簡易な操作、手順であることが好ましい。
【０００７】
特許文献１には、加熱定着により生じる画像形成開始位置又は画像サイズのずれを調整するとともに、用紙を機械的に反転させた際の誤差が原因で生じる画像形成開始位置のずれを調整し得る画像形成装置が開示されている。
特許文献１に記載の画像形成装置によれば、加熱定着により画像形成開始位置又は画像サイズにずれが生じている用紙の表裏の画像を読み取り、表用の画像及び裏用の画像の位置を検出する。そして、表用の画像及び裏用の画像のずれ量から調整値を算出し、この調整値に基づいて用紙の表裏に画像を形成して加熱定着することができる。
【特許文献１】特開２００３−１７３１０９号公報
【発明の開示】
【発明が解決しようとする課題】
【０００８】
しかし、特許文献１に記載の画像形成装置では、用紙の表裏の画像を読み取る際に表用の画像を裏写りしている裏用の画像とともに片面から読み取る手法を用いている。この場合、用紙の厚さや用紙の色等、用紙の種類によっては裏写りしている裏用の画像を適切に読み取ることができない。よって、加熱定着により生じるずれを調整する調整値を適切に算出できない場合が生じる。
【０００９】
また、両面から読み取る手法も開示されているが、この場合、調整値の誤差が２倍になってしまう問題が生じる。例えば、算出した調整値について、表用の画像に対しては基準値から「＋１」だけ調整値の誤差が生じ、裏用の画像に対しては基準値から「−１」だけ調整値の誤差が生じている場合がある。この場合、調整値からの誤差は表用の画像及び裏用の画像とも＋（−）１だが、表用の画像及び裏用の画像の間では「＋（−）２」の誤差が生じていることになる。よって、加熱定着により生じる画像形成開始位置又は画像サイズのずれを適切に調整できない場合がある。
【００１０】
更に、用紙の表裏に画像が形成されるため、ユーザは一見して表用の画像及び裏用の画像を比較することができず、簡易に調整値を測定、算出することはできない。
【００１１】
本発明の目的は、加熱定着により生じる画像形成開始位置又は画像サイズのずれを適切、かつ、簡易に調整し得る画像形成装置、画像形成調整方法を提供することである。
【課題を解決するための手段】
【００１２】
請求項１に記載の発明によれば、
用紙の両面に画像を形成可能な画像形成装置において、
用紙上に画像を形成する画像形成部と、
前記画像形成部にて用紙上に形成された画像を加熱定着する加熱定着部と、
前記用紙の一方の面に前記画像形成部により第１の画像を形成して前記加熱定着部にて加熱定着を行い、その後前記用紙の同一面に前記画像形成部により第２の画像を形成して前記加熱定着部にて加熱定着を行う動作を実行し、前記用紙の同一面上に形成された前記第１の画像及び前記第２の画像に応じて、用紙の表裏に形成される画像の画像形成開始位置及び画像サイズのうち少なくとも一つについて、ずれの表裏調整を行う制御部と、
を備える画像形成装置が提供される。
【００１３】
請求項２に記載の発明によれば、請求項１に記載の発明において、
前記用紙の同一面上に形成された前記第１の画像及び前記第２の画像を読み取る読取部を備え、
前記制御部は、前記読取部で読み取ったデータから前記第１の画像及び前記第２の画像の位置を検出し、検出した前記第１の画像及び前記第２の画像の位置に基づいて、前記表裏調整における表裏調整値を算出する画像形成装置が提供される。
【００１４】
請求項３に記載の発明によれば、請求項１又は２に記載の発明において、
前記制御部は、前記用紙の一方の面に形成された前記第１の画像と前記用紙の他方の面に形成された前記第２の画像との間の用紙上における画像形成開始位置のずれ量と、前記用紙の一方の面にのみ、形成されて加熱定着された前記第１の画像及び前記第２の画像との間の用紙上における画像形成開始位置又は画像サイズのずれ量とに基づいて、前記画像形成開始位置又は前記画像サイズのずれを前記画像形成部に調整させる画像形成装置が提供される。
【００１５】
請求項４に記載の発明によれば、請求項２又は３に記載の発明において、
前記読取部は、前記用紙の一方の面に形成された前記第１の画像及び前記他方の面に形成された前記第２の画像を読み取り、
前記制御部は、読み取られた前記第１の画像及び前記第２の画像をそれぞれ検出し、当該検出した前記第１の画像と前記第２の画像との間の用紙上における前記画像形成開始位置のずれ量を算出し、当該算出したずれ量と、前記用紙の一方の面にのみ、形成されて加熱定着された前記第１の画像及び前記第２の画像との間の用紙上における前記画像形成開始位置又は前記画像サイズのずれ量とに基づいて、前記画像形成開始位置又は前記画像サイズのずれを前記画像形成部に調整させる画像形成装置が提供される。
【００１６】
請求項５に記載の発明によれば、請求項２〜４の何れか一項に記載の発明において、
前記画像形成開始位置又は前記画像サイズのずれ量を入力するための入力部を備え、
前記制御部は、入力された前記ずれ量、又は前記読取手段により読み取られた前記第１の画像及び前記第２の画像をそれぞれ検出して算出した前記ずれ量のうち、何れかのずれ量に基づいて、前記画像形成開始位置又は前記画像サイズのずれを前記画像形成部に調整させる画像形成装置が提供される。
【００１７】
請求項６に記載の発明によれば、請求項１〜５の何れか一項に記載の発明において、
前記第１の画像及び前記第２の画像は、互いに異なる色のスケール画像である画像形成装置が提供される。
【００１８】
請求項７に記載の発明によれば、
用紙の両面に画像を形成可能な画像形成装置による画像形成調整方法であって、
用紙上に画像を形成する工程と、
前記画像形成部にて用紙上に形成された画像を加熱定着する工程と、
前記用紙の一方の面に前記画像形成部により第１の画像を形成して前記加熱定着部にて加熱定着を行い、その後前記用紙の同一面に前記画像形成部により第２の画像を形成して前記加熱定着部にて加熱定着を行う動作を実行し、前記用紙の同一面上に形成された前記第１の画像及び前記第２の画像に応じて、用紙の表裏に形成される画像の画像形成開始位置及び画像サイズのうち少なくとも一つについて、ずれの表裏調整を行う工程と、
を備える画像形成調整方法が提供される。
【発明の効果】
【００１９】
本発明によれば、用紙の何れか一方の面にのみ、表用の画像及び裏用の画像を形成して加熱定着させることができる。表用の画像及び裏用の画像を用紙の同一面上に加熱定着させることで、裏写りした画像を読み取る必要はない。また、算出した調整値の誤差は用紙の表裏で同じとなる。更に、ユーザは容易に表用の画像及び裏用の画像を比較することができ、簡易に加熱定着により生じる画像形成開始位置又は画像サイズのずれ量を測定することができる。
【発明を実施するための最良の形態】
【００２０】
以下、本実施形態における画像形成装置について最適な構成及び動作について図面を用いて詳細に説明する。
【００２１】
まず、図１を参照して、本実施形態に係る画像形成装置１００の機械的構成について説明する。
画像形成装置１００は、読取部１、画像形成部２、給紙部３、搬送部４等を備えて構成される。
【００２２】
読取部１は、コンタクトガラス、プラテンガラス、光源、ミラー、集光レンズ、ＣＣＤ等の光学系を備えて構成される。
読取部１は、上記光学系により読取用のトレイに置かれた原稿Ｆの画像を電気信号に変換し、変換した電気信号を画像形成部２に出力する。
【００２３】
画像形成部２は、画像形成処理部２１、加熱定着部２２等を備えて構成される。
画像形成処理部２１は、レーザユニット２ａ、感光体２ｂ、帯電装置２ｃ、現像装置２ｄ、転写装置２ｅ、分離装置２ｆ、クリーニング装置２ｇ等を備えて構成される。画像形成処理部２１は、上記装置を用いて、用紙Ｐ上にトナー像を転写する。
加熱定着部２２は、用紙Ｐ上に形成されたトナー像を熱及び圧力により加熱定着する。
【００２４】
給紙部３は、複数の給紙トレイ３ａ、手差しトレイ３ｂ、給紙ローラ３ｃ等を備えて構成される。
給紙トレイ３ａ及び手差しトレイ３ｂは複数の用紙Ｐを収容し、給紙ローラ３ｃは搬送部４を介して画像形成部２に用紙Ｐを供給する。  
【００２５】
搬送部４は、搬送経路４ａ〜４ｃ、切り替え爪４ｄ、反転ローラ４ｅ等を備えて構成される。搬送経路４ａは用紙Ｐに画像形成処理部２１を経由させ、加熱定着部２２に搬送する。搬送経路４ｂは、加熱定着部２２を通過した用紙Ｐを外部に出力する。
また、搬送経路４ｃは、切り替え爪４ｄにより搬送経路４ｂから切り替えられた用紙Ｐを搬送する。反転ローラ４ｅは、用紙Ｐの表裏を反転させて、搬送経路４ｃに搬送する。
【００２６】
次に、図２を参照して、画像形成装置１００の機能的構成について説明する。
画像形成装置１００は、機能的構成として、読取部１、画像形成部２、通信部５、メイン処理部６等を備えて構成される。
【００２７】
読取部１は、制御部６ａから出力される制御信号を受信し、原稿Ｆに照明走査して反射した光の反射光を結像する。そして、読取部１は、光電変換して読み取った画像データをメイン処理部６に出力する。
【００２８】
画像形成部２は、制御部６ａから出力される制御信号を受信して、画像形成処理部２１を駆動制御する。そして、画像形成処理部２１は、メイン処理部６から出力される画像データに基づいて、画像形成処理を行う。
【００２９】
通信部５は、ネットワークＮに接続された情報端末装置Ｉとの間でデータの送受信を行う。例えば、通信部５は、ネットワークＮを介して情報端末装置Ｉから受信した画像データをメイン処理部６に出力する。
【００３０】
メイン処理部６は、制御部６ａ、記憶部６ｂ等を備えて構成される。
制御部６ａは、記憶部６ｂに記憶されているシステムプログラムを読み出し、読み出したプログラムに従って画像形成装置１００の各部の動作を集中制御する。
記憶部６ｂは、不揮発性の半導体メモリ等により構成され、画像形成装置１００に対応するシステムプログラムやシステムプログラム上で実行可能な各種処理プログラムを記憶する。また、記憶部６ｂは各種処理プログラムの実行に必要な情報を記憶し、実行後のデータ等を記憶する。
【００３１】
また、メイン処理部６は、読取部１により読み取られたアナログ電気信号をメイン処理部６内で処理可能なデジタル画像データに変換する。そして、メイン処理部６は、変換した画像データについて各種画像処理を施し、各種画像処理を施した画像データを画像形成部２に出力する。
【００３２】
入力表示部７は、操作ボタンと表示画面とが一体となったタッチパネルで構成される。入力表示部７は、制御部６ａから出力された表示信号を受信して、表示画面上の表示制御を行う。また、表示画面上の操作ボタンから入力された入力信号を制御部６ａに出力する。
【００３３】
以上が、画像形成装置１００の機械的構成（図１参照）及び機能的構成（図２参照）である。次に、図３〜図５を参照して、本実施形態における画像形成装置１００の動作について説明する。
【００３４】
図３〜図５に、画像形成装置１００が行う調整処理のフロー図を示す。
なお、本実施形態では、制御部６ａが画像形成装置１００の各部を集中制御することで、図３〜図５に示す処理を行うものとする。
【００３５】
図３を参照して、処理の全体的な流れを説明する。
制御部６ａは、入力表示部７からの入力信号に従って、表裏調整モードを起動させる（ステップＳ１）。具体的には、制御部６ａは、表裏調整モードの設定画面を入力表示部７に表示させる。なお、このとき表示させる表裏調整モードの設定画面は図６、図７における説明で後述する。
【００３６】
制御部６ａは、表裏調整の設定内容について、確定指示を受信するまで待機する（ステップＳ２；Ｎ）。
なお、表裏調整の設定内容には、定着調整の有無及び調整内容と、通紙経路調整の有無及び調整内容等が含まれる。
【００３７】
定着調整とは、加熱定着部２２が行う加熱定着処理によって、用紙Ｐの表裏間で生じた画像形成開始位置及び画像サイズのずれを調整することをいう。
また、通紙経路調整とは、反転ローラ４ｅが用紙Ｐを反転させることで、用紙Ｐの表裏間で生じた画像形成開始位置のずれを調整することをいう。
【００３８】
制御部６ａは、確定指示を受信すると（ステップＳ２；Ｙ）、表裏調整の設定内容を記憶部１ｂに一時的に記憶させる（ステップＳ３）。
【００３９】
その後、制御部６ａは、入力表示部７を介して、表裏調整実行指示を受信するまで待機する（ステップＳ４；Ｎ）。
【００４０】
制御部６ａは、表裏調整実行指示を受信すると（ステップＳ４；Ｙ）、記憶部１ｂに一時的に記憶させた表裏調整の設定内容を参照し、まず定着調整を実行するか否か判断する（ステップＳ５）。
【００４１】
定着調整を実行しない場合（ステップＳ５；Ｎ）、制御部６ａは、ステップＳ７に移行する。
一方、定着調整を実行する場合（ステップＳ５；Ｙ）、制御部６ａは、定着調整を実行する（ステップＳ６）。
【００４２】
ここで、図４を参照して、定着調整の処理の流れについて説明する。
まず、制御部６ａは、記憶部１ｂに一時的に記憶させた表裏調整の設定内容を参照し、定着調整を自動調整で行うか否かについて判断する（ステップＳ６１）。
【００４３】
自動調整で行わない場合（ステップＳ６１；Ｎ）、つまりユーザが入力表示部７を介して定着調整値を入力する場合、制御部６ａは、表用の手動調整用スケール画像及び裏用の手動調整用スケール画像を用紙Ｐの表面に画像形成及び加熱定着させる（ステップＳ６２）。
【００４４】
このとき、制御部６ａは、以下のような機械的制御を行う。
制御部６ａは、用紙Ｐの表面に表用の手動調整用スケール画像を画像形成処理部２１に画像形成させる。その後、制御部６ａは、用紙Ｐの表面に形成された表用の手動調整用スケール画像を加熱定着部２２に加熱定着させる。加熱定着させた後、制御部６ａは、用紙Ｐを反転ローラ４ｅで反転させず、搬送経路４ｃに搬送させる。そして、制御部６ａは、用紙Ｐの表面に裏用の手動調整用スケール画像を画像形成処理部２１に画像形成させる。最後に、制御部６ａは、用紙Ｐの表面に形成された裏用の手動調整用スケール画像を加熱定着部２２に加熱定着させる。
【００４５】
上記の機械的制御により、用紙Ｐの表面には２つの画像が形成される。用紙Ｐ上に形成された表用の手動調整用スケール画像と裏用の手動調整用スケール画像との間のずれ量が定着調整値となる。定着調整値の測定については、図８における説明で後述する。
【００４６】
制御部６ａは、入力表示部７を介して、測定された定着調整値が入力され、かつ、確定指示を受信するまで待機する（ステップＳ６３；Ｎ）。
【００４７】
制御部６ａは、確定指示を受信すると（ステップＳ６３；Ｙ）、確定した定着調整値を記憶部１ｂに記憶させて（ステップＳ６４）、手動で行う定着調整の処理を終了する。
【００４８】
ステップＳ６１に戻り、定着調整の処理を自動調整で行う場合（ステップＳ６１；Ｙ）、つまり制御部６ａが定着調整値を算出する場合、制御部６ａは、表用の自動調整用スケール画像及び裏用の自動調整用スケール画像を用紙Ｐの表面に画像形成及び加熱定着させる（ステップＳ６５）。
【００４９】
このとき制御部６ａが行う機械的制御、つまり表用及び裏用の自動調整用スケール画像を用紙Ｐの表面に画像形成及び加熱定着させる制御は、上述した制御と同様である。なお、用紙Ｐに画像形成された自動調整用スケール画像については、図９における説明で後述する。
【００５０】
次に、制御部６ａは、用紙Ｐの表面に画像形成させた表用及び裏用の自動調整用スケール画像を読取部１に読み取らせる（ステップＳ６６）。
そして、制御部６ａは、読み取らせた画像データを画像解析して、表用の自動調整用スケール画像及び裏用の自動調整用スケール画像のそれぞれの位置を検出する（ステップＳ６７）。
【００５１】
制御部６ａは、検出した表用の画像及び裏用の画像の位置に基づいて、定着調整値を算出する（ステップＳ６８）。そして、制御部６ａは、算出した定着調整値を記憶部１ｂに記憶させて（ステップＳ６４）、定着調整の処理を終了する。
以上が表裏調整における定着調整の処理の流れである。
【００５２】
図３に戻り、定着調整しない場合（ステップＳ５；Ｎ）、又は定着調整を実行した後（ステップＳ６）、制御部６ａは、記憶部１ｂに一時的に記憶させた表裏調整の設定内容を参照して、全体調整を実行するか否かについて判断する（ステップＳ７）。
なお、ここでいう全体調整とは、ステップＳ６において定着調整を実行した後に行う通紙経路調整をいう。
【００５３】
全体調整しない場合（ステップＳ７；Ｎ）、制御部６ａは、表裏調整処理を終了する。
一方、全体調整する場合（ステップＳ７；Ｙ）、制御部６ａは、全体調整を実行する（ステップＳ８）。
【００５４】
ここで、図５を参照して、全体調整の処理の流れについて説明する。
まず、制御部６ａは、記憶部１ｂに一時的に記憶させた表裏調整の設定内容を参照し、全体調整を自動調整で行うか否かについて判断する（ステップＳ８１）。
【００５５】
自動調整で行わない場合（ステップＳ８１；Ｎ）、つまりユーザが入力表示部７を介して通紙経路調整値を入力する場合、制御部６ａは、表用の手動調整用スケール画像を用紙Ｐの表面に画像形成させる（ステップＳ８２）。
【００５６】
この後、用紙Ｐの表面に画像形成された表用の手動調整用スケール画像を参照して測定される測定値が、入力表示部７を介して入力される。
なお、このとき測定される測定値については、図７における説明で後述する。
【００５７】
制御部６ａは、入力表示部７を介して表用の測定値を取得するまで待機する（ステップＳ８３；Ｎ）。
制御部６ａは、表用の測定値を取得すると（ステップＳ８３；Ｙ）、次に、裏用の手動調整用スケール画像を用紙Ｐの裏面に画像形成させる（ステップＳ８４）。
【００５８】
制御部６ａは、入力表示部７を介して裏用の測定値を取得するまで待機する（ステップＳ８５；Ｎ）。
制御部６ａは、裏用の測定値を取得すると（ステップＳ８５；Ｙ）、通紙経路調整値の算出指示を受信するまで待機する（ステップＳ８６；Ｎ）。
【００５９】
制御部６ａは、通紙経路調整値の算出指示を受信すると、通紙経路調整値を算出する（ステップＳ８７）。なお、ここで算出される通紙経路調整値は、ステップＳ８３、Ｓ８５において取得した表用及び裏用の測定値と、ステップＳ６４において記憶部１ｂに記憶させた定着調整値とに基づいて算出されるものである。
【００６０】
そして、制御部６ａは、算出した通紙経路調整値を記憶部１ｂに記憶させて（ステップＳ５４）、全体調整の処理を終了する。
【００６１】
ステップＳ８１に戻り、全体調整を自動調整で行う場合（ステップＳ８１；Ｙ）、つまり制御部６ａが通紙経路調整値を算出する場合、制御部６ａは、まず表用の自動調整用スケール画像を用紙Ｐの表面に画像形成させる（ステップＳ８９）。
【００６２】
次に、制御部６ａは、画像形成させた表用の自動調整用スケール画像を読取部１に読み取らせる（ステップＳ９０）。
【００６３】
そして、制御部６ａは、読み取らせた画像データを画像解析して、表用の自動調整用スケール画像の位置を検出する（ステップＳ９１）。
【００６４】
また、制御部６ａは、画像形成部２により裏用の自動調整用スケール画像を用紙Ｐの裏面に画像形成させる（ステップＳ９２）。
そして、制御部６ａは、画像形成させた裏用の自動調整用スケール画像を読取部１に読み取らせ（ステップＳ９３）、読み取らせた画像データを画像解析して、裏用の自動調整用スケール画像の位置を検出する（ステップＳ９４）。
【００６５】
制御部６ａは、ステップＳ９１及びステップＳ９４において検出した表用及び裏用の自動調整用スケール画像の位置に基づいて、通紙経路調整値を算出する（ステップＳ８７）。なお、ここで算出される通紙経路調整値は、制御部６ａが検出した表用及び裏用の自動調整用スケール画像の位置と、定着調整値とに基づいて算出されるものである。
【００６６】
そして、制御部６ａは、算出した通紙経路調整値を記憶部１ｂに記憶して（ステップＳ８８）、全体調整の処理を終了する。
以上が表裏調整における全体調整の処理の流れである。
【００６７】
次に、図６を参照して、表裏調整モードの設定画面Ｄについて説明する。
なお、設定画面Ｄ１は、制御部６ａが入力表示部７に表示させる画面であって、給紙トレイ３ａごとに設定可能に表示される。
【００６８】
設定画面Ｄ１は、領域Ｇ１及び領域Ｇ２で構成される。
領域Ｇ１には、設定項目がボタン表示される。又ボタン表示された右隣には確定した設定内容が表示される。ボタン表示された設定項目のうち、表裏調整ボタンＢ１が押下されると、表裏調整に関する調整内容が領域Ｇ２に表示される。
【００６９】
領域Ｇ２には、定着調整値及び通紙経路調整値のそれぞれの値が設定可能に表示される。
また、領域Ｇ２には、定着調整値や通紙経路調整値を手動調整により入力するためのチャート調整ボタンＢ２、タテ倍／ヨコ倍ボタンＢ３、上下／左右ボタンＢ４等が表示される。更に、領域Ｇ２には、定着調整値及び通紙経路調整値を自動調整して算出させるための自動調整ボタンＢ５が表示される。
チャート調整ボタンＢ２が押下されると、図７に示す設定画面Ｄ２に切り替わる。
【００７０】
図７に、チャート調整の設定画面Ｄ２を示す。
設定画面Ｄ２は、通紙経路調整値を算出するための画面である。
設定画面Ｄ２には、用紙Ｐにおける測定箇所の全体像及び測定箇所に対応した測定値を入力するためのボタン等が表示される。
【００７１】
設定画面Ｄ２において測定値が入力され、調整開始ボタンＢ２０が押下されると、通紙経路調整値が算出される。
【００７２】
算出された通紙経路調整値は、図６に示す設定画面Ｄ１のタテ倍／ヨコ倍ボタンＢ３及び上下／左右ボタンＢ４の下に表示される。
【００７３】
なお、タテ倍／ヨコ倍ボタンＢ３及び上下／左右ボタンＢ４が押下されると、押下されたボタンの下に、ユーザは定着調整値及び通紙経路調整値をそれぞれ直接入力することができる。
ユーザが定着調整値を直接入力する際に参照する手動調整用スケール画像について、図８を参照して説明する。
【００７４】
図８Ａ〜Ｃに、手動調整用スケール画像を示す。
なお、手動調整用スケール画像は、定着調整を自動調整で行わない場合に用紙Ｐの表面に画像形成される画像である。本実施形態では、図４のステップＳ６２において画像形成及び加熱定着された画像が以下に説明する手動調整用スケール画像ＳＣ３である。
【００７５】
図８Ａは、表用の手動調整用スケール画像ＳＣ１である。表用の手動調整用スケール画像ＳＣ１は、スタートラインＡ１と、基準ラインＡ２とを有する。
【００７６】
図８Ｂは、裏用の手動調整用スケール画像ＳＣ２である。裏用の手動調整用スケール画像ＳＣ２は、スタート地点Ａ１１と、測定点Ａ１２とを有する複数のスケールにより構成される。また、各スケールの端部には番号が付される。
【００７７】
図８Ｃは、表用及び裏用のスケール画像ＳＣ１、Ｓ２の表用の画像及び裏用の画像を用紙Ｐの同一面上に画像形成及び加熱定着させた際の手動調整用スケール画像ＳＣ３である。ユーザが実際に参照する画像は、この手動調整用スケール画像ＳＣ３となる。
【００７８】
手動調整用スケール画像ＳＣ３において、複数のスケールのうち、スタートラインＡ１とスタート地点Ａ１１とが一致するスケールがある。このスケールにおいて、スケールに付された数値が画像形成開始位置のずれ量を示し、基準ラインＡ２と測定点Ａ１２との差が画像サイズのずれ量を示す。
つまり、図８Ｃに示す手動調整用スケール画像ＳＣ３の場合、ユーザは以下のように定着調整値を設定画面Ｄ１において入力することになる。
【００７９】
図８Ｃに示す手動調整用スケール画像ＳＣ３によれば、入力すべき定着調整値は、「タテ倍」が＋（−）０、「ヨコ倍」が−１、「上下」が＋１、「左右」が−１、となる。
【００８０】
次に、図９を参照して、自動調整用スケール画像について説明する。
なお、図９に示す自動調整用スケール画像ＳＣ４は、定着調整を自動調整で行う場合に用紙Ｐの表面に画像形成及び加熱定着される画像である。本実施形態では、図４のステップＳ６５において、画像形成及び加熱定着された画像が自動調整用スケール画像ＳＣ４である。
【００８１】
自動調整用スケール画像ＳＣ４は、表用の自動調整用スケール画像と裏用の自動調整用スケール画像とを有し、用紙Ｐの同一面上に形成されてなる。この点、手動調整用スケール画像ＳＣ３と同様である。
【００８２】
また、自動調整用スケール画像ＳＣ４において、表用の自動調整用スケール画像と裏用の自動調整用スケール画像とは、互いに一定の距離だけ離れて画像形成される。また、自動調整用スケール画像ＳＣ４は、表用と裏用とで互いに異なる色で構成される。
【００８３】
算出される定着調整値は、図９に示すように、「タテ倍」がＹｕ／Ｙｏ、「ヨコ倍」がＸｕ／Ｘｏ、「上下」がＸｏｕ、「左右」がＹｏｕ、となる。制御部６ａは、読取部１により読み取られた自動調整用スケール画像ＳＣ４を参照して、表用の画像及び裏用の画像の位置を検出し、定着調整値を算出することになる。
【００８４】
以上のように、本実施形態によれば、表用の画像及び裏用の画像を用紙Ｐの表面に画像形成及び加熱定着させる。そして、用紙Ｐの表面に画像形成及び加熱定着させた２つの画像を比較して画像形成開始位置及び画像サイズのずれ量、つまり定着調整値を算出する。
表用及び裏用の画像を同一面上に画像形成及び加熱定着させることで、裏写りした画像を読み取る必要はない。また、算出した定着調整値の誤差は用紙の表裏で同じとなる。更に、ユーザは容易に表用の画像及び裏用の画像を比較することができ、簡易に定着調整値を測定することができる。
【００８５】
また、用紙Ｐの表面に画像形成された表用及び裏用の画像を読取部１に読み取らせ、読み取らせた表用及び裏用の画像の位置を検出する。そして、検出した表用の画像及び裏用の画像の位置を比較することで、定着調整値を算出することができる。よって、ユーザが定着調整値を測定する必要はなく、手間を省くことができる。
【００８６】
また、加熱定着により生じる画像形成開始位置及び画像サイズのずれを調整するとともに、定着調整と合わせて通紙経路調整を行うことができる。これを本実施形態では全体調整として説明したが、全体調整を行うことで、用紙Ｐの表裏に画像形成するような場合に生じる画像形成開始位置及び画像サイズのずれを更に調整することができる。
【００８７】
また、用紙Ｐの表裏面に画像形成された表用及び裏用の画像を読取部１に読み取らせ、読み取らせた表用及び裏用の画像の位置を検出する。そして、検出した表用の画像及び裏用の画像の位置を比較することで、通紙経路調整値を算出することができる。よって、ユーザが通紙経路調整値を測定する必要はなく、手間を省くことができる。
【００８８】
また、入力表示部７を介して入力された定着調整値又は通紙経路調整値に基づいて、定着調整又は通紙経路調整を行うことができる。よって、ユーザは用紙Ｐの表裏面に画像を画像形成及び加熱定着することにより生じる画像形成開始位置及び画像サイズのずれを容易に調整することができる。
【００８９】
また、用紙Ｐの表面に画像形成する表用の画像及び裏用の画像を互いに異なる色のスケール画像としてもよい。例えば、自動調整用スケール画像ＳＣ４における表用のスケール画像を赤とし、裏用のスケール画像を青としてもよい。互いに異なる色とすることで、ユーザは表用の画像と裏用の画像とを容易に判別することができる。また、スケール画像とすることで、ユーザは定着調整値を容易に測定することができる。
【図面の簡単な説明】
【００９０】
【図１】画像形成装置の全体構成図である。
【図２】画像形成装置の機能ブロック図である。
【図３】表裏調整処理の流れを示すフロー図である。
【図４】定着調整処理の流れを示すフロー図である。
【図５】全体調整処理の流れを示すフロー図である。
【図６】表裏調整モードの設定画面の一例を示す図である。
【図７】チャート調整の設定画面の一例を示す図である。
【図８Ａ】手動調整用スケール画像の一例を示す図である。
【図８Ｂ】手動調整用スケール画像の一例を示す図である。
【図８Ｃ】手動調整用スケール画像の一例を示す図である。
【図９】自動調整用スケール画像の一例を示す図である。
【符号の説明】
【００９１】
１００  画像形成装置
１      読取部
２      画像形成部
２１    画像形成処理部
２２    加熱定着部
３      給紙部
４      搬送部
６ａ    制御部
７      入力部
【図１】
2009222785.tif 000003
【図２】
2009222785.tif 000004
【図３】
2009222785.tif 000005
【図４】
2009222785.tif 000006
【図５】
2009222785.tif 000007
【図６】
2009222785.tif 000008
【図７】
2009222785.tif 000009
【図８Ａ】
2009222785.tif 000010
【図８Ｂ】
2009222785.tif 000011
【図８Ｃ】
2009222785.tif 000012
【図９】
2009222785.tif 000013